(57)【特許請求の範囲】
【請求項１】
木造建築の柱に対する取り付け金具と、この取り付け金具に着脱自在に支持される柱体とから成り、取り付け金具は、閉じ状態で角筒状となる開閉自在な柱挟持体と、この柱挟持体を閉じ状態に固定する手段と、前記柱挟持体の外側に設けられ且つ前記柱体を着脱自在に支持する柱体支持部とから成り、当該柱体支持部は、上から挿入された前記柱体の下端を受け止めることができる有底の柱状空間を備え、柱体は、その上端部に親綱係止または挿通用金具を備えている木造建築用親綱張設装置において、前記柱挟持体の固定手段は、開閉自在な前記柱挟持体を閉じ状態に保持する係止具と、当該柱挟持体を閉じ状態で緊締する緊締用ボルトナットとから成り、前記係止具は、係止解除位置と係止位置とに切り換え自在なワンタッチ係止レバーを備えている、木造建築用親綱張設装置。
【請求項２】
前記柱体支持部は、柱挟持体の閉じ状態で互いに直角となる２側面にそれぞれ設けられている、請求項１に記載の木造建築用親綱張設装置。
【請求項３】
前記柱挟持体は、２つの直角折曲部材を、閉じ状態で角筒状となるように互いに開閉自在に軸支して成るものである、請求項１又は２に記載の木造建築用親綱張設装置。
【請求項４】
前記緊締用ボルトナットの緊締方向が、閉じ状態における２つの直角折曲部材の中間折曲部を結ぶ対角線と略平行である、請求項３に記載の木造建築用親綱張設装置。
【発明の詳細な説明】
【０００１】
【発明の属する技術分野】
本発明は、木造建築物の建築工事に際し、梁上などを歩行する作業者の落下防止のために、前記梁に沿って手摺り状に親綱を張設する場合に使用できる木造建築用親綱張設装置に関するものである。
【０００２】
【従来の技術及びその問題点】
鉄骨が使用される建設現場では、鉄骨梁上を歩行する作業者の落下防止のために、当該鉄骨梁のエッジ部にクランプにより取り付けて立設した親綱用支柱を利用して、親綱を鉄骨梁に沿って手摺り状に張設することが行われているが、木造建築物では、鉄骨梁のエッジ部に対し太く、しかも傷つき易い木製の梁が使用されているので、この木製の梁に従来の鉄骨梁用の親綱用支柱をクランプで固定して仮設することができない。換言すれば、木造建築物の建築工事に際して安全に活用することができる親綱張設装置は、考えられていなかった。
【０００３】
本発明は上記のような従来の問題点を解消し得る木造建築用親綱張設装置を提供することを目的とするものであって、その手段を後述する実施形態の参照符号を付して示すと、木造建築の柱１６に対する取り付け金具２０と、この取り付け金具２０に着脱自在に支持される柱体２とから成り、取り付け金具２０は、閉じ状態で角筒状となる開閉自在な柱挟持体１と、この柱挟持体１を閉じ状態に固定する手段と、前記柱挟持体１の外側に設けられ且つ前記柱体２を着脱自在に支持する柱体支持部５Ａ，５Ｂとから成り、当該柱体支持部５Ａ，５Ｂは、上から挿入された前記柱体２の下端を受け止めることができる有底の柱状空間６を備え、柱体２は、その上端部に親綱係止または挿通用金具１４を備えている木造建築用親綱張設装置において、前記柱挟持体１の固定手段は、開閉自在な前記柱挟持体１を閉じ状態に保持する係止具９と、当該柱挟持体１を閉じ状態で緊締する緊締用ボルトナット１０とから成り、前記係止具９は、係止解除位置と係止位置とに切り換え自在なワンタッチ係止レバー１２を備えた構成となっている。
【０００４】
上記構成の本発明装置を実施するについて、柱体支持部５Ａ，５Ｂは、柱挟持体１の閉じ状態で互いに直角となる２側面にそれぞれ設けることができる。
【０００５】
また、前記柱挟持体１は、柱１６に外嵌させ得るコの字形挟持部材に平板状の蓋状部材を開閉自在に軸支たものであっても良いが、２つの直角折曲部材３Ａ，３Ｂを、閉じ状態で角筒状となるように互いに開閉自在に軸支して成るものが望ましい。この場合、前記緊締用ボルトナット１０の緊締方向は、閉じ状態における２つの直角折曲部材３Ａ，３Ｂの中間折曲部を結ぶ対角線１９と略平行とするのが望ましい。
【０００６】
【発明の実施の形態】
以下に本発明の好適実施形態を添付図に基づいて説明すると、図１において、１は柱挟持体であり、２は柱体である。柱挟持体１は、２つの直角折曲部材３Ａ，３Ｂを、閉じ状態で角筒状となるように互いにヒンジ部４で開閉自在に連結して成るものであって、各直角折曲部材３Ａ，３Ｂのヒンジ部４に隣接する側面部（柱挟持体１の閉じ状態で互いに直角となる２側面）それぞれの外側に、柱体支持部５Ａ，５Ｂを突設している。この柱体支持部５Ａ，５Ｂは、柱体２が挿脱自在な角柱状空間６と、この角柱状空間６内に上から挿入された柱体２の下端を受け止める底板７とを備えている。
【０００７】
柱挟持体１の各直角折曲部材３Ａ，３Ｂの内面には、柱表面を保護するためと滑り止めのためにゴムなどの弾性材８が貼付されている。９は、柱挟持体１を閉じ状態に保持する係止具であり、１０は、当該柱挟持体１を閉じ状態で緊締する緊締用ボルトナットである。上記柱挟持体１と係止具９、及び緊締用ボルトナット１０により、柱体２の取り付け金具２０が構成されている。
【０００８】
係止具９は、一般にえび金具と称されるもので、柱挟持体１の一方の直角折曲部材３Ａの遊側辺から外側に直角状に連設した折曲側辺部３ａの長さ方向中央位置に突設した被係止部材１１と、他方の直角折曲部材３Ｂの遊側辺の外側に付設されたワンタッチ係止レバー１２とから構成され、このワンタッチ係止レバー１２には、柱挟持体１の閉じ状態において、前記被係止部材１１に対し係脱自在な係止リング１３が設けられ、この係止リング１３を被係止部材１１に係合させた状態でワンタッチ係止レバー１２を倒すことにより、柱挟持体１を閉じ状態に保持することができ、前記ワンタッチ係止レバー１２を起立させることにより、係止リング１３を被係止部材１１から離脱させて、柱挟持体１を開くことができる。
【０００９】
緊締用ボルトナット１０は、柱挟持体１の一方の直角折曲部材３Ａの折曲側辺部３ａの２箇所に設けられた貫通孔と合致するように当該折曲側辺部３ａの裏面２箇所に固着されたナット１０ａと、柱挟持体１を閉じたときに前記折曲側辺部３ａと重なるように、他方の直角折曲部材３Ｂの遊側辺から係止具９の位置をさけて延出させた延出側辺部３ｂに、前記各ナット１０ａと合致するように設けられたボルト孔１０ｂと、このボルト孔１０ｂを経由して各ナット１０ａに螺合させるボルト１０ｃとから構成されている。なお、ナット１０ａも、直角折曲部材３Ａの折曲側辺部３ａに固着しないで使用しても良い。
【００１０】
柱体２には、その上端に横向きに親綱係止または挿通用金具１４が突設されている。この金具１４は、１本の棒鋼を横長の長円形に曲げて構成された、親綱の端部を係止したり親綱を挿通させたりするためのリング部１４ａと、前記棒鋼の互いに重なる両端部を横向きに折曲して構成され且つ端部が柱体２の側面部に溶接などにより固着された取り付け用脚部１４ｂ，１４ｃとから成るものであるが、この構成に限定されないことは勿論である。また、柱体２の側面には、取り付け高さを指示するためのガイド線１５が付されている。
【００１１】
使用方法について説明すると、図３Ａに示すように、木造建築物の柱１６に柱挟持体１を取り付ける。即ち、柱挟持体１の２つの直角折曲部材３Ａ，３Ｂを図１Ｄに仮想線で示すように開いた状態で柱１６に外嵌させ、直角折曲部材３Ａ，３Ｂを閉じて、直角折曲部材３Ａ，３Ｂの各内側面（弾性材８）を柱１６の各側面に当接させた状態で、係止具９により両直角折曲部材３Ａ，３Ｂを閉じ状態に保持させる。このとき、補助的に直角折曲部材３Ａ，３Ｂを柱１６に釘止めするための釘孔１７を各直角折曲部材３Ａ，３Ｂに設けておくこともできる。
【００１２】
柱１６に係止具９により仮止めした柱挟持体１は、ボルトナット１０の各ボルト１０ｃをナット１０ａに螺合締結することにより緊締させ、柱１６の所定位置に強固に固定することができる。柱挟持体１を柱１６に固定したならば、図３Ｂに示すように、当該柱挟持体１の柱体支持部５Ａ，５Ｂの内、柱１６に対して親綱を張設する側にある柱体支持部５Ａまたは５Ｂに柱体２を挿入して支持させる。勿論、コーナー部に立設される柱１６に取り付けられた柱挟持体１に対しては、図３Ｂに仮想線で示すように、両方の柱体支持部５Ａ，５Ｂにそれぞれ柱体２を挿入支持させることができる。
【００１３】
上記のように各柱１６ごと（または適当間隔おきにある柱１６）に柱挟持体１を利用して柱体２を立設したならば、各柱体２の上端にある親綱係止または挿通用金具１４を利用して、各柱１６の上に架設された梁１８に沿って親綱を手摺り状に張設することができ、作業者は、自身の安全帯の遊端にあるカラビナを前記親綱に係合させて落下防止を図ることができる。
【００１４】
なお、上記のように柱１６に柱挟持体１を利用して立設された柱体２は、そのガイド線１５が柱１６の上の梁１８の上面レベルと略一致する高さにある。換言すれば、最終的にガイド線１５が梁１８の上面レベルと略一致するように、柱１６に対する柱挟持体１の取り付け高さが決められ、この結果、同様に立設された各柱体２の上端の親綱係止または挿通用金具１４のレベルが略等しくなり、親綱を略水平に張設することができる。従って、柱挟持体１をボルトナット１０で緊締する前に、係止具９を係脱操作しながら柱１６に対する柱挟持体１の位置を、柱体支持部５Ａまたは５Ｂに仮に挿入した柱体２を利用するなどして調節し、柱挟持体１の位置が決まった状態でボルトナット１０により緊締するのが望ましい。この柱１６に対する柱挟持体１の取り付けは、当該柱１６を土台上に立設する前に行うこともできる。この場合は、柱挟持体１を所定位置に取り付けた状態の柱１６を土台上に立設し、そして梁１８を架設することになるが、柱挟持体１を柱１６にボルトナット１０で完全に緊締する作業は、土台上に柱１６を立設し（またはその柱１６上に梁１８を架設し）た後に行うことができる。
【００１５】
柱挟持体１は、できる限り軽量化を図るのが取り扱いを容易ならしめる点で望ましい。このため、鉄板の曲げ加工で直角折曲部材３Ａ，３Ｂを構成する場合は、図示のような軽め穴や切り欠きを適所に設けることが望ましいが、パンチングメタルやエキスパンドメタルなどのネット状のものを使用して構成することもできる。また、緊締用ボルトナット１０による緊締効果を高めるために、図４に示すように、当該緊締用ボルトナット１０の緊締方向（ボルト１０ｃの軸心方向）が、閉じ状態における２つの直角折曲部材３Ａ，３Ｂの中間折曲部を結ぶ対角線１９と略平行となるように構成することができる。この場合、各直角折曲部材３Ａ，３Ｂの遊側辺には、係止具９の装着位置を除く上下２箇所から斜め外方に折曲側辺部３ｃ，３ｄを延出させ、この折曲側辺部３ｃ，３ｄにボルト貫通穴を設ければ良い。２１は折曲側辺部３ａ，３ｃ，３ｄの裏側の入り隅部に固着した補強板である。
【００１６】
【発明の効果】
以上のように本発明の木造建築用親綱張設装置によれば、取り付け金具を利用して木造建築物の柱に親綱用支柱となる柱体を取り付けることができ、木造建築物においても、その梁上を歩行する作業者の落下防止のための親綱を当該梁に沿って手摺り状に張設することができる。しかも、作業者の落下事故時に親綱に作用する外力を柱体と取り付け金具を介して柱の長さ方向圧縮応力または柱の曲げ応力で受け持たせることができ、梁で受け持たせる場合のように甚大な捩じり応力が作用することはないので、取り付け金具と接触する柱の角を大きく損傷させる恐れが少ない。
【００１７】
しかも本発明の構成によれば、柱挟持体を緊締用ボルトナットで完全に緊締する前に、係止具を係脱操作しながら柱に対する柱挟持体の位置を調節し、その後に緊締用ボルトナットを利用して柱挟持体を柱に強固に固定することができ、しかも前記係止具は、係止解除位置と係止位置とに切り換え自在なワンタッチ係止レバーを備えたものであるから、柱挟持体の位置を調節する際の柱に対する柱挟持体の固定位置の仮止め及びその解除が簡単容易であるから、最初から柱挟持体を柱にボルトナットで固定しなければならない場合と比較して、柱に対する柱挟持体の固定位置の調整が極めて容易に行えるのである。
【００１８】
尚、請求項２に記載の構成によれば、柱に対する柱挟持体の取り付け向きを誤った場合でも、当該柱挟持体の互いに直角となる２側面それぞれに設けられている２角柱体支持部の内の一方を利用して、確実に柱の外側に親綱用支柱となる柱体を立設することができるし、コーナー部に位置する柱に対し一つの柱挟持体を取り付けるだけで、当該コーナー部の両側に柱体を立設することができる。
【００１９】
又、請求項３に記載の構成によれば、角柱状の柱に対し柱挟持体を効果的に挟持させることができ、この場合、請求項４に記載の構成によれば、緊締用ボルトナットによる緊締力を柱に対する柱挟持体の緊締力として効率良く作用させることができ、柱に対する柱挟持体の取り付けを強力確実に行わせることができる。
【図面の簡単な説明】
【図１】  Ａ図は柱体の一部切り欠き側面図であり、Ｂ図は柱体の平面図であり、Ｃ図は取り付け金具の側面図であり、Ｄ図は取り付け金具の平面図である。
【図２】  開いた状態の取り付け金具の背面側を示す側面図である。
【図３】  Ａ図は柱に取り付け金具を取り付けた状態を示す側面図であり、Ｂ図はその取り付け金具を利用して柱体を立設した状態を示す側面図である。
【図４】  変形例を示す取り付け金具の平面図である。
【符号の説明】
１      柱挟持体
２      柱体
３Ａ，３Ｂ    直角折曲部材
４      ヒンジ部
５Ａ，５Ｂ    柱体支持部
８      ゴムなどの弾性材
９      係止具
１０    緊締用ボルトナット
１４    親綱係止または挿通用金具
１６    木造建築物の柱
１８    木造建築物の梁
２０    取り付け金具
【図１】
0003860370.tif 000002
【図２】
0003860370.tif 000003
【図３】
0003860370.tif 000004
【図４】
0003860370.tif 000005